(57)【要約】【課題】騒音を低減すると共に、翼の面積の減少に伴う送風効率の低下を抑制し、または送風効率を向上することの可能な遠心ファンを提供する。【解決手段】遠心ファン１は、空気の吸込口５を有する環状の側板２と、その側板２に対向して設けられる主板３と、側板２と主板３との間に回転方向に所定間隔で配置される複数の翼４とを備える。そして、翼４は、負圧面８と正圧面９とを貫通し、且つ、後縁７に開口していない貫通孔１０を有している。【選択図】図１
2020079567.tif 000002
【特許請求の範囲】
【請求項１】
遠心送風機に用いられる遠心ファンにおいて、
空気の吸込口（５）を有する環状の側板（２）と、
前記側板に対向して設けられる主板（３）と、
前記側板と前記主板との間に回転方向に所定間隔で配置される複数の翼（４）と、を備え、
前記翼は、負圧面（８）と正圧面（９）とを貫通し、且つ、後縁（７）に開口していない貫通孔（１０）を有している、遠心ファン。
【請求項２】
前記貫通孔は、前記翼のうち前縁と前記後縁との間に形成される最大そり位置（Ｗ）よりも前記後縁側に設けられている、請求項１に記載の遠心ファン。
【請求項３】
複数の前記翼はそれぞれ、複数の前記貫通孔を有している、請求項１または２に記載の遠心ファン。
【請求項４】
前記貫通孔のうち前記前縁側の内壁から前記前縁までの距離（Ｄ１）と、前記貫通孔のうち後縁側の内壁から前記前縁までの距離（Ｄ２）との差分（ΔＤ）を孔幅と定義したとき、
複数の前記貫通孔のうち、所定の前記貫通孔の孔幅は、その所定の前記貫通孔の前記側板側に隣接する他の前記貫通孔の孔幅に対し、同一または大きいものとされている、請求項１ないし３のいずれか１つに記載の遠心ファン。
【請求項５】
複数の前記貫通孔のうち、所定の前記貫通孔は、その所定の前記貫通孔の前記側板側に隣接する他の前記貫通孔に対し、遠心ファンの回転軸（Ａｘ）と平行または前縁側に設けられている、請求項１ないし４のいずれか１つに記載の遠心ファン。
【請求項６】
複数の前記貫通孔のうち、所定の前記貫通孔は、その所定の前記貫通孔の前記側板側に隣接する他の前記貫通孔に対し、遠心ファンの回転軸と平行または前記前縁側に設けられており、
所定の前記貫通孔の孔幅は、その所定の前記貫通孔の前記側板側に隣接する他の前記貫通孔の孔幅に対し、同一または大きいものとされている、請求項４または５に記載の遠心ファン。
【請求項７】
前記貫通孔は、前記翼の前記負圧面における開口面積（Ｓ１）よりも前記翼の前記正圧面における開口面積（Ｓ２）の方が大きい、請求項１ないし６のいずれか１つに記載の遠心ファン。
【発明の詳細な説明】
【技術分野】
【０００１】
本発明は、遠心送風機に用いられる遠心ファンに関するものである。
【背景技術】
【０００２】
従来、遠心送風機に用いられる遠心ファンが知られている。
特許文献１に記載の遠心ファンは、翼の後縁に複数の凹凸形状（以下、セレーションという）を有している。これにより、この遠心ファンは、翼同士の間に形成される流路（以下、翼間流路という）の出口において、翼の後縁の正圧面側から吹き出される空気と、その翼の後縁の負圧面側から吹き出される空気との境界における圧力差を小さくし、騒音を低減している。
【先行技術文献】
【特許文献】
【０００３】
【特許文献１】特開４４３２４７４号公報
【発明の概要】
【発明が解決しようとする課題】
【０００４】
しかしながら、特許文献１に記載の遠心ファンは、翼の後縁にセレーションを設けていることで、翼の後縁付近において空気を吹き出す仕事をするための面積が減少する。そのため、この遠心ファンは、送風効率が低下するという課題がある。なお、送風効率とは、ファンの回転に必要なエネルギに対するファンの送風量をいう。
【０００５】
本発明は上記点に鑑みて、騒音を低減すると共に、翼の面積の減少に伴う送風効率の低下を抑制し、または送風効率を向上することの可能な遠心ファンを提供することを目的とする。
【課題を解決するための手段】
【０００６】
上記目的を達成するため、請求項１に係る発明は、
遠心送風機に用いられる遠心ファンにおいて、
空気の吸込口（５）を有する環状の側板（２）と、
側板に対向して設けられる主板（３）と、
側板と主板との間に回転方向に所定間隔で配置される複数の翼（４）と、を備え、
翼は、負圧面（８）と正圧面（９）とを貫通し、且つ、後縁（７）に開口していない貫通孔（１０）を有している。
【０００７】
これによれば、翼同士の間に形成される所定の翼間流路の中で正圧面の近傍を流れる空気が貫通孔を通り、その所定の翼間流路より回転方向後側に位置する他の翼間流路に流れる。そのため、他の翼間流路の中で負圧面の近傍を流れる流速の速い空気の流れが、貫通孔から流入した空気によって回転方向後側に押し出され、流速の遅い正圧面側へ拡がることで、翼間流路の出口の流速偏差が均一に近づく。したがって、翼の後縁付近で形成される渦が小さくなるので、騒音を低減することができる。なお、流速偏差とは、翼間流路の出口における流速の不均一さをいう。
【０００８】
ところで、翼の面積が貫通孔によって減少すると、送風効率が低下することが懸念される。これに対し、請求項１に係る発明では、貫通孔は後縁に開口していないので、翼のうち貫通孔と後縁との間の壁面により、翼間流路の出口の外側へ空気を押し出す仕事をすることが可能である。したがって、この遠心ファンは、翼のうち貫通孔と後縁との間に壁面を有することで、翼の面積の貫通孔によって減少することによる送風効率の低下を抑制し、または、送風効率を向上することができる。
【０００９】
なお、各構成要素等に付された括弧付きの参照符号は、その構成要素等と後述する実施形態に記載の具体的な構成要素等との対応関係の一例を示すものである。
【図面の簡単な説明】
【００１０】
【図１】第１実施形態に係る遠心ファンの斜視図である。
【図２】第１実施形態に係る遠心ファンの一部を示す側面図である。
【図３】遠心ファンの回転軸に垂直な断面において、翼が有する孔幅を説明するための説明図である。
【図４】第２実施形態に係る遠心ファンの一部を示す側面図である。
【図５】第３実施形態に係る遠心ファンの一部を示す側面図である。
【図６】第４実施形態に係る遠心ファンの一部を示す側面図である。
【図７】第５実施形態に係る遠心ファンの一部を示す側面図である。
【図８】第６実施形態に係る遠心ファンの一部を示す側面図である。
【図９】第７実施形態に係る遠心ファンの一部を示す側面図である。
【図１０】図９のＸ−Ｘ線における翼の後縁付近の断面図である。
【図１１】Ｐｏｗｅｌｌの渦音理論を説明するための説明図である。
【図１２】比較例として、翼の後縁にセレーションを設けた場合における翼間流路の流速分布を示した解析図である。
【図１３】第１比較例として、翼の後縁にセレーションを設けた場合の模式図である。
【図１４】第２比較例として、翼の後縁にセレーションを設けた場合の模式図である。
【図１５】第３比較例として、翼の後縁にセレーションを設けた場合の模式図である。
【図１６】第４比較例として、翼の後縁にセレーションを設けた場合の模式図である。
【図１７】貫通孔の形状の一例を示す模式図である。
【図１８】貫通孔の形状の別の一例を示す模式図である。
【図１９】貫通孔の形状の別の一例を示す模式図である。
【図２０】遠心ファンの斜視図において、翼間流路の出口を示した図である。
【図２１】図２０で示した翼間流路の出口において、翼にセレーションを設けた場合の流速分布を示す解析図である。
【図２２】図２０で示した翼間流路の出口において、翼に貫通孔を設けた場合の流速分布を示す解析図である。
【図２３】図２０で示した翼間流路の出口のうち、翼の上部、中部、下部について、ベース形状の場合、翼にセレーションを設けた場合、翼に貫通孔を設けた場合それぞれの流速偏差を示すグラフである。
【図２４】図２０で示した翼間流路の出口のうち、翼の上部、中部、下部について、ベース形状の場合、貫通孔の孔径を変えた場合それぞれの流速偏差を示すグラフである。
【図２５】図２０で示した翼間流路の出口のうち、翼の上部、中部、下部について、ベース形状の場合、遠心ファンの径方向に貫通孔の位置を変えた場合それぞれの流速偏差を示すグラフである。
【図２６】ベース形状の場合、翼にセレーションを設けた場合、第１実施形態の貫通孔の場合、第２実施形態の貫通孔の場合それぞれの比騒音とファン効率を示すグラフである。
【図２７】ベース形状の場合において、翼の正圧面を流れる空気の全圧分布を示す解析図である。
【図２８】翼に第２実施形態の貫通孔を設けた場合において、翼の正圧面を流れる空気の全圧分布を示す解析図である。
【発明を実施するための形態】
【００１１】
以下、本発明の実施形態について図面を参照しつつ説明する。なお、以下の各実施形態相互において、互いに同一もしくは均等である部分には、同一符号を付し、その説明を省略する。
【００１２】
（第１実施形態）
第１実施形態について図面を参照しつつ説明する。本実施形態の遠心ファンは、空調装置または換気装置などが備える遠心送風機に用いられるものである。
【００１３】
図１および図２に示すように、遠心ファン１は、側板２と主板３と複数の翼４を備えている。側板２は、円環状に形成され、その中央部に、空気を吸い込むための吸込口５を有している。側板２は、その中央部の吸込口５から外周側に向かうにつれて主板３側に近づくようなベルマウス形状となっている。なお、側板２の外周部は、遠心ファン１の回転軸Ａｘに垂直な円環状としてもよい。
【００１４】
主板３は、円盤状に形成され、側板２に対向するように設けられている。主板３は、その中央部が吸込口５側に向かって突出するような形状となっている。主板３の中心に設けられたモータ締結部３１は、図示しない電動モータのシャフトに固定される。
【００１５】
複数の翼４は、主板３と側板２との間に回転方向に所定間隔で配置されている。本実施形態では、複数の翼４は、回転軸Ａｘ方向の一方の側が主板３に固定され、回転軸Ａｘ方向の他方の側が側板２に固定されている。すなわち、主板３と側板２と複数の翼４とは、一体に形成されている。複数の翼４は、前縁６から後縁７に向かって回転方向後ろ向きに延びている。したがって、この遠心ファン１は、ターボファンである。なお、図では、遠心ファン１の回転方向を矢印Ｒにて示している。
【００１６】
遠心ファン１は、電動モータのシャフトと共に回転する。遠心ファン１が回転すると、吸込口５から吸い込まれた空気は、複数の翼４同士の間の流路（以下、翼間流路という）を、翼４の前縁６側から後縁７側に向けて流れる。そして、翼間流路を流れた空気は、翼４の後縁７と側板２と主板３との間に形成される空気出口から径方向外側に吹き出される。
【００１７】
複数の翼４はそれぞれ、負圧面８と正圧面９とを貫通する貫通孔１０を少なくとも１つ有している。なお、負圧面８とは、翼４のうち回転方向後側の面である。正圧面９とは、翼４のうち回転方向前側の面であり、圧力面とも呼ばれる。本実施形態では、複数の翼４はそれぞれ、複数の貫通孔１０を有している。なお、図２では、複数の貫通孔１０をそれぞれ区別するために、数字符号の末尾にアルファベットを付している。以下の説明では、必要に応じて、貫通孔１０の数字符号の末尾にアルファベットを付すこととする。
【００１８】
翼４が有する貫通孔１０は、次の（Ａ）、（Ｂ）、（Ｃ）の要件を満たすように設けられている。なお、複数の貫通孔１０は、少なくともその一部が（Ａ）、（Ｂ）、（Ｃ）の要件を満たしていればよい。
【００１９】
（Ａ）複数の貫通孔１０は、翼４のうち最大そり位置よりも後縁７側に設けられている。
図３では、翼４のうち前縁６と後縁７との間に形成される最大そり位置を一点鎖線Ｗで示している。複数の貫通孔１０は、翼４のうち、最大そり位置と後縁７との間の部位に設けられている。なお、貫通孔１０は、後縁７から離れた位置に設けられており、後縁７に開口していない。そのため、後縁７と貫通孔１０との間には、翼４の壁面４１が存在している。
【００２０】
（Ｂ）複数の貫通孔１０は、所定の貫通孔１０の孔幅が、その所定の貫通孔１０の側板２側に隣接する他の貫通孔１０の孔幅に対し、同一または大きい。
ここで、図３に示すように、本明細書では、貫通孔１０のうち前縁６側の内壁から前縁６までの距離Ｄ１と、貫通孔１０のうち後縁７側の内壁からから前縁６までの距離Ｄ２との差分ΔＤを、孔幅と定義する。なお、貫通孔１０の孔幅とは、正圧面９で測定した差分と負圧面８で測定した差分のうち、小さい方を指すものとする。小さい方の孔幅が空気流れの律速となるためである。
【００２１】
図２に示すように、第１実施形態では、翼４のうち側板２側の部位（以下、上部という）から中間部（以下、中部という）に配置される複数の貫通孔１０ａ〜ｇの孔幅は、同一の大きさである。そして、貫通孔１０ｈの孔幅は、その貫通孔１０ｈの側板２側に隣接する貫通孔１０ｇの孔幅より大きい。また、翼４のうち主板３側の部位（以下、下部という）に配置される複数の貫通孔１０ｈ〜ｊの孔幅は、同一の大きさである。
【００２２】
第１実施形態では、複数の貫通孔１０の形状が円形である。そのため、第１実施形態では、複数の貫通孔１０は、所定の貫通孔１０の孔径が、その所定の貫通孔１０の側板２側に隣接する他の貫通孔１０の孔径に対し、同一または大きい、と言うこともできる。なお、貫通孔１０の形状は、円形に限られるものでなく、例えば長穴、多角形、またはＤ形状など、任意に設定することが可能である。
【００２３】
（Ｃ）複数の貫通孔１０は、所定の貫通孔１０が、その所定の貫通孔１０の側板２側に隣接する他の貫通孔１０に対し、遠心ファン１の回転軸Ａｘと平行または前縁６側に設けられている。
図２に示すように、第１実施形態では、複数の貫通孔１０ａ〜ｊは、各貫通孔１０の中心位置が、遠心ファン１の回転軸Ａｘと平行に並ぶように設けられている。
【００２４】
以上説明した第１実施形態に関し、貫通孔１０の技術的意義については、後述する第２〜第７実施形態の構成を説明した後に説明する。
【００２５】
（第２〜第７実施形態）
第２〜第７実施形態について説明する。第２〜第７実施形態は、第１実施形態に対して貫通孔１０の構成を変更したものであり、その他については第１実施形態と同様であるため、第１実施形態と異なる部分についてのみ説明する。なお、第２〜第７実施形態の貫通孔１０も、少なくともその一部が、第１実施形態で説明した（Ａ）、（Ｂ）、（Ｃ）の要件を満たすように設けられている。
【００２６】
（第２実施形態）
図４に示すように、第２実施形態では、翼４の中部に配置される貫通孔１０ａ〜ｅは、孔幅が同一の大きさである。そして、貫通孔１０ｆの孔幅は、その側板２側に隣接する貫通孔１０ｅの孔幅より大きい。また、翼４の下部に配置される貫通孔１０ｆ〜ｈは、孔幅が同一の大きさである。
【００２７】
また、第２実施形態では、翼４の中部に配置される貫通孔１０ａ〜ｅは、各貫通孔１０の中心位置が、遠心ファン１の回転軸Ａｘと平行に並ぶように設けられている。そして、翼４の下部に配置される貫通孔１０ｇ、ｈは、所定の貫通孔１０が、その所定の貫通孔１０の側板２側に隣接する他の貫通孔１０に対し前縁６側に設けられている。
【００２８】
さらに、第２実施形態では、翼４の上部（すなわち、翼４のうち貫通孔１０ａより側板２側の部位）に貫通孔１０が設けられていない。このことは、後述する実験およびシミュレーション（以下、実験等という）に基づくものであり、翼４のうち側板２側の所定の領域では、貫通孔１０による騒音低減効果が生じないためである。なお、その所定の領域は、遠心ファン１の形状に応じて、実験等により適宜設定されるものである。
【００２９】
（第３実施形態）
図５に示すように、第３実施形態では、翼４の中部に配置される貫通孔１０ａ〜ｅは、孔幅が同一の大きさである。そして、貫通孔１０ｆの孔幅は、その側板２側に隣接する貫通孔１０ｅの孔幅より大きい。また、翼４の下部に配置される貫通孔１０ｆ〜ｈは、孔幅が同一の大きさである。
【００３０】
また、第３実施形態では、翼４の中部から下部に配置される貫通孔１０ａ〜ｈは、各貫通孔１０の中心位置が、遠心ファン１の回転軸Ａｘと平行に並ぶように設けられている。
さらに、第３実施形態では、翼４の上部に貫通孔１０が設けられていない。
【００３１】
（第４実施形態）
図６に示すように、第４実施形態では、翼４の上部から下部に亘って配置される貫通孔１０ｂ〜ｊはいずれも、所定の貫通孔１０の孔幅が、その側板２側に隣接する貫通孔１０の孔幅より大きい。
また、第４実施形態では、貫通孔１０ａ〜ｊは、各貫通孔１０の中心位置が、遠心ファン１の回転軸Ａｘと平行に並ぶように設けられている。
【００３２】
（第５実施形態）
図７に示すように、第５実施形態では、貫通孔１０ａ、ｂは、長穴とされている。この場合も、所定の貫通孔１０ｂの孔幅は、その側板２側に隣接する貫通孔１０ａの孔幅より大きい。
また、第５実施形態では、貫通孔１０ａ、ｂは、各貫通孔１０の中心位置が、遠心ファン１の回転軸Ａｘと平行に並ぶように設けられている。
【００３３】
（第６実施形態）
図８に示すように、第６実施形態でも、貫通孔１０ａ、ｂは、長穴とされている。この場合も、所定の貫通孔１０ｂの孔幅は、その側板２側に隣接する貫通孔１０ａの孔幅より大きい。
また、第６実施形態では、貫通孔１０ａ、ｂは、所定の貫通孔１０ｂの中心位置が、その所定の貫通孔１０ｂの側板２側に隣接する他の貫通孔１０ａの中心位置に対し、前縁６側に設けられている。具体的には、翼４の下部に配置される貫通孔１０ｂは、側板２側から主板３側に向かって遠心ファン１の回転軸Ａｘに近づくように傾斜している。
なお、第６実施形態では、翼４の上部に貫通孔１０が設けられていない。
【００３４】
（第７実施形態）
図９および図１０に示すように、第７実施形態では、貫通孔１０は、翼４の負圧面８における開口面積Ｓ１よりも翼４の正圧面９における開口面積Ｓ２の方が大きい形状とされている。貫通孔１０は、このような形状としても、上述した第１〜第６実施形態と同様の効果を奏することが可能である。
【００３５】
具体的には、第７実施形態では、翼４の貫通孔１０の内壁のうち後縁７側の壁１１の形状は、その翼４の回転方向前側に位置する翼４の負圧面８に対応した形状とされている。これにより、複数の翼４を射出成形する場合、翼４同士の間に配置される金型の型抜き方向と、貫通孔１０の内壁の方向とを同一にすることが可能である。なお、図１０の矢印Ｍで示すように、射出成形の際に翼間流路に配置される金型の型抜き方向は、翼４の負圧面８に沿うような方向である。したがって、第７実施形態では、翼４と貫通孔１０とを一つの金型で形成することが可能となり、製造上のコストを低減することができる。
【００３６】
（貫通孔の技術的意義）
次に、貫通孔１０の技術的意義について説明する。
第１〜第７実施形態の貫通孔１０は、遠心ファン１の回転によって生じる騒音を低減するものである。また、第１〜第７実施形態の貫通孔１０は、翼４の面積が貫通孔１０によって減少することによる送風効率の低下を抑制し、または送風効率を向上するものである。
【００３７】
まず、遠心ファン１の回転によって騒音が生じる理由について、図１１を参照しつつ説明する。
図１１では、翼間流路の出口を流れる主流の速度を矢印ｖで示し、騒音源となる渦の軸を矢印ωで示している。ここで、Ｐｏｗｅｌｌの渦音理論によれば、音源項は、ｄｉｖ（ｖ×ω）にて表され、この値が大きいほど騒音が大きくなることを示す。ｄｉｖは発散を意味し、微小体積における湧き出しや吸い込み時に大きくなる。また、ｖは主流速度を意味し、ωは渦度を意味する。すなわち、騒音は、主流速度ｖと渦度ωとの外積である。そのため、大きい渦が主流と直交し、発生または消滅している箇所が音になる。したがって、翼間流路の出口で発生する渦を小さくすれば、騒音を低減することが可能である。翼間流路の出口で発生する渦を小さくするには、翼間流路の出口での流速のばらつき（すなわち、流速偏差）を小さくすればよい。
【００３８】
図１２は、翼４の後縁７にセレーションを設けた場合における翼間流路の流速の偏りを示したものである。翼間流路では、負圧面８の近傍の流速が速く、正圧面９の近傍の流速が遅いものとなっている。そこで、翼４の後縁７にセレーションを設けた場合、矢印Ｆに示すように、所定の翼間流路の中で正圧面９の近傍を流れる空気がセレーションの切欠部を通り、その所定の翼間流路より回転方向後側に位置する他の翼間流路に流れる。そのため、他の翼間流路では、負圧面８の近傍を流れる流速の速い空気が回転方向後側に押し出され、翼間流路の出口の流速が均一に近づく。したがって、翼４の後縁７付近で形成される渦が小さくなり、騒音が低減する。なお、このことは、発明者らの研究により発見されたものである。
【００３９】
図１３〜図１６は、本発明の比較例として、翼４の後縁７にセレーションを設けた場合の模式図を示したものである。
図１３は、一般的なセレーション２０の形状を示している。図１４は、セレーション２０の切欠部を前縁６側へ深く切り込んだ形状である。図１５は、セレーション２０の凹凸を矩形状にして、流速を部分的に下げるようにした形状である。図１６は、セレーション２０を遠心ファン１の回転軸Ａｘ方向に大きくした形状である。セレーション２０をこのような形状にすれば、回転方向前側の翼間流路から回転方向後側の翼間流路へ流入する空気の流量を増やすことが可能である。しかしながら、図１３〜図１６に示したセレーション２０はいずれも、翼４の面積が減少することで、送風効率が低下するといった問題がある。また、図１３〜図１６に示したセレーション２０はいずれも、切欠部から翼間流路へ流入した空気が翼間流路の外側へすぐに吹き出されてしまうので、翼間流路で負圧面８の近傍を流れる流速の速い空気を正圧面９側に押し出す効果が弱いものと考えられる。
【００４０】
そこで、発明者らは、図１７〜図１９に示すように、翼４に貫通孔１０を設ける構造を発明したのである。これにより、翼４の後縁７よりも上流側の位置から貫通孔１０を経由して回転方向後側の翼間流路へ流入した空気が、その翼間流路の中で負圧面８の近傍を流れる流速の速い空気を正圧面９側に押し出す効果を向上することができる。なお、貫通孔１０の形状は、三角形、四角形、円形など、任意の形状とすることが可能であるが、円形にすれば翼４面積の減少を最小にすることができる。
【００４１】
図２０〜図２２は、翼４にセレーション２０を設けた場合と、翼４に貫通孔１０を設けた場合とで、翼間流路の出口の流速分布を示したものである。図２０は、図２１および図２２に記載されている翼間流路の出口の位置を示したものである。すなわち、図２１および図２２は、所定の翼間流路の出口において、回転方向前側の翼４の後縁７から回転方向後側の翼４の後縁７までの流速分布を示したＣＦＤ（computational fluid dynamics）による数値解析図である。具体的には、図２１は、翼４にセレーション２０を設けた場合における翼間流路の出口の速度分布を示している。図２２は、翼４に貫通孔１０を設けた場合における翼間流路の出口の速度分布を示している。
【００４２】
翼４にセレーション２０を設けた場合における翼間流路の出口の速度分布（図２１参照）に比べて、翼４に貫通孔１０を設けた場合における翼間流路の出口の速度分布（図２２参照）は、全体的に見て流速のばらつきが小さくなっている。特に、図２１および図２２の右下の部分、すなわち、翼４の負圧面８の近傍かつ主板３の近傍の部位を比較すると、翼４にセレーション２０を設けた場合では、流速の速い流れがあるが、翼４に貫通孔１０を設けた場合では、その部位の流速が遅くなり、他の部位と均一化されている。
このように、翼４に貫通孔１０を設けた場合では、翼４にセレーション２０を設けた場合と比べて、全体的に流速が均一化されている。このことは、翼４に貫通孔１０を設けた場合、翼４の後縁７よりも上流側から貫通孔１０を通じて翼間流路へ空気が流入するため、その翼間流路の中で負圧面８の近傍を流れる流速の速い空気の流れを正圧面９側に押し出す効果が向上することによるものと考えられる。
【００４３】
次に、図２３は、翼４にセレーション２０または貫通孔１０等を設けていない形状（以下、ベース形状という）の場合と、翼４にセレーション２０を設けた場合と、翼４に貫通孔１０を設けた場合とで、翼間流路の出口の流速偏差を示したものである。なお、翼間流路の出口の流速偏差とは、翼間流路の出口の流速を周方向に視た場合の流速の不均一さをいう。
【００４４】
図２３に示すように、翼４の上部では、ベース形状に比べて、翼４にセレーション２０や貫通孔１０を設けた場合の方が、流速偏差が大きくなっている。しかし、翼４の上部は、翼間流路の出口を流れる主流の流量が少ないので、騒音に関する影響は小さい。ただし、図４、図５、図８に示した第２、第３、第６実施形態のように、翼４の上部には貫通孔１０を設けないことが好ましい。
【００４５】
一方、翼４の中部と下部では、ベース形状に比べて、翼４にセレーション２０を設けた場合に流速偏差が小さくなっている。さらに、翼４に貫通孔１０を設けた場合に流速偏差がより小さくなっている。このことから、翼４にセレーション２０を設けるよりも、翼４に貫通孔１０を設けることで、騒音をより低減することが可能であると言える。
【００４６】
続いて、図２４は、ベース形状の場合と、翼４に内径の異なる貫通孔１０を設けた場合とで、翼間流路の出口の流速偏差を示したものである。具体的には、複数の貫通孔１０が遠心ファン１の回転軸Ａｘと平行に並ぶように設けた場合において、複数の貫通孔１０の内径を１ｍｍとしたものと、その内径を２ｍｍとしたものと、その内径を２．５ｍｍとしたものについてそれぞれ調べた。
【００４７】
翼４の上部では、ベース形状に比べて、翼４に貫通孔１０を設けた場合の方が、流速偏差が大きくなっている。しかし、翼４の上部は、翼間流路の出口を流れる主流の流量が少ないので、騒音に関する影響は小さい。ただし、図４、図５、図８に示した第２、第３、第６実施形態のように、翼４の上部に貫通孔１０を設けないことが好ましい。
【００４８】
一方、翼４の中部と下部では、翼４に内径の小さい貫通孔１０を設けた場合に比べて、内径の大きい貫通孔１０を設けた場合に流速偏差がより小さくなっている。このことから、翼４に内径の大きい貫通孔１０を設けることで、騒音をより低減することが可能であると言える。
詳細には、翼４の中部よりも、翼４の下部の方が、貫通孔１０の内径を大きくすることで流速偏差がより小さくなっている。このことから、翼４の中部に配置する貫通孔１０の内径よりも、翼４の下部に配置する貫通孔１０の内径を大きくすることで、騒音をより低減することが可能であると言える。したがって、上述した要件（Ｂ）に示したように、複数の貫通孔１０は、所定の貫通孔１０の孔幅が、その所定の貫通孔１０の側板２側に隣接する他の貫通孔１０の孔幅に対し、同一または大きいことで、騒音をより低減することが可能である。
【００４９】
次に、図２５は、ベース形状の場合と、貫通孔１０の位置を遠心ファン１の径方向に変えた場合とで、翼間流路の出口の流速偏差を示したものである。具体的には、複数の貫通孔１０が遠心ファン１の回転軸Ａｘと平行に並ぶように設けた場合において、複数の貫通孔１０の中心位置と翼４の後縁７との距離を４ｍｍとしたものと、その距離を１４ｍｍとしたものについてそれぞれ調べた。
【００５０】
翼４の上部では、ベース形状に比べて、翼４に貫通孔１０を設けた場合の方が、流速偏差が大きくなっている。しかし、翼４の上部は、翼間流路の出口を流れる主流の流量が少ないので、騒音に関する影響は小さい。ただし、図４、図５、図８に示した第２、第３、第６実施形態のように、翼４の上部に貫通孔１０を設けないことが好ましい。
【００５１】
翼４の中部では、ベース形状に比べて、翼４の後縁７に近い位置に貫通孔１０を設けた場合の方が、流速偏差が小さくなっている。一方、翼４の後縁７に近い位置に貫通孔１０を設けた場合に比べて、翼４の後縁７から遠い位置に貫通孔１０を設けた場合の方が、流速偏差が大きくなっている。
これに対し、翼４の下部では、ベース形状に比べて、翼４の後縁７に近い位置に貫通孔１０を設けた場合の方が、流速偏差が小さくなっている。さらに、翼４の後縁７に近い位置に貫通孔１０を設けた場合に比べて、翼４の後縁７から遠い位置に貫通孔１０を設けた場合の方が、流速偏差が小さくなっている。
【００５２】
このことから、翼４の中部では、翼４の後縁７に近い位置に貫通孔１０を設けることで、騒音をより低減することが可能であると言える。これに対し、翼４の下部では、翼４の後縁７から遠い位置に貫通孔１０を設けることで、騒音をより低減することが可能であると言える。したがって、上述した要件（Ｃ）に示したように、複数の貫通孔１０は、所定の貫通孔１０が、その所定の貫通孔１０の側板２側に隣接する他の貫通孔１０に対し、遠心ファン１の回転軸Ａｘと平行または前縁６側に配置されることで、騒音をより低減することが可能である。
【００５３】
次に、図２６は、ベース形状の場合と、翼４にセレーション２０を設けた場合と、図２および図４に示した第１実施形態および第２実施形態のように貫通孔１０を設けた場合とで、遠心ファン１の比騒音と、ファン効率（すなわち送風効率）を示したものである。なお、図２６では、ベース形状における遠心ファン１の比騒音と送風効率をそれぞれ基準値０として、その基準値に対する各形態の差分を示している。
【００５４】
遠心ファン１の比騒音に関してみると、ベース形状に比べて、翼４にセレーション２０を設けた場合の方が小さくなっている。そして、翼４にセレーション２０を設けた場合に比べて、第１実施形態のように貫通孔１０を設けた場合の方が比騒音は小さくなっている。さらに、第１実施形態のように貫通孔１０を設けた場合に比べて、第２実施形態のように貫通孔１０を設けた場合の方が比騒音はより小さくなっている。
したがって、第１実施形態のように、翼４に貫通孔１０を設けることで、セレーション２０よりも騒音を低減することが可能である。さらに、第２実施形態のように、翼４の上部に貫通孔１０を設けることなく、また、翼４の下部の貫通孔１０を前縁６側に配置することで、騒音をより低減することが可能である。
【００５５】
遠心ファン１の送風効率に関してみると、ベース形状に比べて、翼４にセレーション２０を設けた場合の方が低下している。これに対し、翼４にセレーション２０を設けた場合に比べて、第１実施形態のように貫通孔１０を設けた場合の方が、送風効率の低下が抑制されている。さらに、第２実施形態のように貫通孔１０を設けた場合、ベース形状よりも送風効率が向上している。
したがって、第１実施形態のように、翼４に貫通孔１０を設けることで、セレーション２０よりも送風効率の低下を抑制することが可能である。また、第２実施形態のように、翼４の上部に貫通孔１０を設けることなく、さらに、翼４の下部の貫通孔１０を前縁６側に配置することで、ベース形状よりも送風効率を向上することが可能である。
【００５６】
次に、第２実施形態のように貫通孔１０を設けた場合、ベース形状よりも送風効率が向上する理由について説明する。
図２７は、ベース形状において、翼４の正圧面９を流れる空気の全圧分布を示したものである。一方、図２８は、第２実施形態のように貫通孔１０を設けた場合において、翼４の正圧面９を流れる空気の全圧分布を示したものである。
【００５７】
ベース形状における正圧面９の全圧分布（図２７参照）に比べて、第２実施形態における正圧面９の全圧分布（図２２参照）は、翼４の後縁７付近の圧力が、翼４の上下方向（すなわち、回転軸Ａｘ方向）に亘って大きくなっている。さらに、ベース形状における正圧面９の全圧分布（図２７参照）に比べて、第２実施形態における正圧面９の全圧分布（図２２参照）は、翼４の後縁７かつ主板３付近の圧力が大きくなっている。このことは、翼４に貫通孔１０を設けた場合、翼４の後縁７よりも上流側の位置から貫通孔１０を通じて翼間流路へ空気が流入し、その翼間流路の中で空気の流れが正圧面９側に寄ることで、翼４の後縁７かつ主板３付近の圧力が大きくなることによるものと考えられる。
【００５８】
そして、図４に示した第２実施形態のように貫通孔１０を設けた場合では、翼４の下部に配置される貫通孔１０ｇ、ｈは、側板２側に隣接する他の貫通孔１０に対し前縁６側に設けられている。そのため、翼４のうち貫通孔１０ｇ、ｈと後縁７との間の壁面４１の面積が大きくなり、その壁面４１により、翼間流路の出口の外側へ空気を押し出す仕事をすることが可能である。
さらに、翼４の後縁７よりも上流側の位置から貫通孔１０を通じて翼間流路へ空気が流入し、その翼間流路の中で空気の流れが正圧面９側に寄ることで、翼４の後縁７かつ主板３付近の圧力が大きくなるので、翼４のうち貫通孔１０ｇ、ｈと後縁７との間の壁面４１での仕事量が増える。したがって、第２実施形態のように貫通孔１０を設けた場合、ベース形状よりも送風効率が向上する。なお、このことは、図８および図９に示した第６および第７実施形態でも同様に、ベース形状よりも送風効率が向上するといえる。
【００５９】
（他の実施形態）
本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の形状、位置関係等に言及するときは、特に明示した場合および原理的に特定の形状、位置関係等に限定される場合等を除き、その形状、位置関係等に限定されるものではない。
【００６０】
（１）上記各実施形態では、遠心ファン１としてターボファンを例にして説明したが、これに限らず、遠心ファン１はラジアルファンまたはシロッコファン等であってもよい。
【００６１】
（２）また、翼４が有する複数の貫通孔１０は全て同じ孔幅としてもよい。
【００６２】
（３）また、翼４が有する複数の貫通孔１０は、その一部に（Ａ）、（Ｂ）、（Ｃ）の要件を満たさない部分が混在していてもよい。
【００６３】
（４）また、複数の翼４はそれぞれが１つの貫通孔１０を有する構成としてもよい。
【００６４】
（５）上記各実施形態では、主板３と側板２と複数の翼４とが一体に回転する構成として説明したが、これに限らず、主板３と複数の翼４のみが回転する構成としてもよく、複数の翼４のみが回転する構成としてもよく、複数の翼４のみが回転する構成としてもよい。
【００６５】
（まとめ）
上述の実施形態の一部または全部で示された第１の観点によれば、遠心ファンは、遠心送風機に用いられる。遠心ファンは、空気の吸込口を有する環状の側板と、その側板に対向して設けられる主板と、側板と主板との間に回転方向に所定間隔で配置される複数の翼とを備える。そして、翼は、負圧面と正圧面とを貫通し、且つ、後縁に開口していない貫通孔を有している。
【００６６】
第２の観点によれば、貫通孔は、翼のうち前縁と後縁との間に形成される最大そり位置よりも後縁側に設けられている。
これによれば、翼の最大そり位置よりも後縁側で、所定の翼間流路の空気が貫通孔を通り、回転方向後側に位置する他の翼間流路に流入する。そのため、他の翼間流路の中で負圧面の近傍を流れる流速の速い空気の流れが、貫通孔から流入した空気によって回転方向後側に押し出され、流速の遅い正圧面側へ拡がることで、翼間流路の出口の流速偏差を均一に近づけることが可能である。したがって、翼の後縁付近で形成される渦が弱くなるので、騒音を低減することができる。
【００６７】
また、翼のうち貫通孔と後縁との間の壁面が、翼間流路の出口の外側へ空気を押し出す仕事をすることで、送風効率の低下を抑制し、または、送風効率を向上することができる。
【００６８】
第３の観点によれば、複数の翼はそれぞれ、複数の貫通孔を有している。
これによれば、翼の剛性を保ちつつ、貫通孔の位置および開口面積を任意に調整することができる。
【００６９】
第４の観点によれば、貫通孔のうち前縁側の内壁から前縁までの距離と、貫通孔のうち後縁側の内壁から前縁までの距離との差分を孔幅と定義する。このとき、複数の貫通孔のうち、所定の貫通孔の孔幅は、その所定の貫通孔の側板側に隣接する他の貫通孔の孔幅に対し、同一または大きいものとされている。
【００７０】
これによれば、発明者らの実験等により、翼のうち主板側の部位と、翼の主板と側板との中間付近の部位と、翼の側板側の部位とで、貫通孔による騒音低減効果が異なることが判った。具体的には、翼のうち主板側の部位で貫通孔による騒音低減効果が大きく、翼の主板と側板との中間付近の部位で貫通孔による騒音低減効果が小さくなり、翼の側板側の部位で貫通孔による騒音低減効果が殆ど無いことが判った。
そこで、第４の観点では、複数の貫通孔のうち、所定の貫通孔の孔幅は、その所定の貫通孔の側板側に隣接する他の貫通孔の孔幅に対し、同一または大きいものとしている。これにより、貫通孔による翼の面積の減少を抑制しつつ、騒音低減効果をより高めることができる。また、貫通孔による翼の面積の減少が抑制されるので、送風効率の低下を抑制することができる。
【００７１】
第５の観点によれば、複数の貫通孔のうち、所定の貫通孔は、その所定の貫通孔の側板側に隣接する他の貫通孔に対し、遠心ファンの回転軸と平行または前縁側に設けられている。
【００７２】
これによれば、発明者らの実験等により、翼のうち貫通孔と後縁との間の壁面により、翼間流路の出口の外側へ空気を押し出す仕事をすることが判った。また、その仕事量は、翼のうち側板側の部位よりも主板側の部位で大きくなることが判った。
そこで、第５の観点では、複数の貫通孔のうち、所定の貫通孔を、その所定の貫通孔の側板側に隣接する他の貫通孔に対し、遠心ファンの回転軸と平行または前縁側に設けている。これにより、翼のうち貫通孔と後縁との間の壁面の中で、特に主板側に位置する壁面により、翼間流路の出口の外側へ空気を押し出す仕事量を大きくすることが可能である。したがって、この遠心ファンは、送風効率の低下をより抑制し、または、送風効率をより向上することができる。
【００７３】
第６の観点によれば、複数の貫通孔のうち、所定の貫通孔は、その所定の貫通孔の側板側に隣接する他の貫通孔に対し、遠心ファンの回転軸と平行または前縁側に設けられている。そして、所定の貫通孔の孔幅は、その所定の貫通孔の側板側に隣接する他の貫通孔の孔幅に対し、同一または大きいものとされている。
【００７４】
これによれば、翼のうち貫通孔と後縁との間の壁面の中で、特に主板側に位置する壁面により、翼間流路の出口の外側へ空気を押し出す仕事量を大きくすることが可能である。また、貫通孔による翼の面積の減少を抑制しつつ、騒音低減効果をより高めることができる。したがって、この遠心ファンは、騒音を低減すると共に、送風効率の低下を抑制し、または送風効率を向上することができる。
【００７５】
第７の観点によれば、貫通孔は、翼の負圧面における開口面積よりも翼の正圧面における開口面積の方が大きい。
【００７６】
これによれば、貫通孔をこのような形状としても、上述の第１〜第６の観点と同様に、騒音を低減すると共に送風効率の低下を抑制し、または送風効率を向上することができる。
【００７７】
また、所定の翼の貫通孔の内壁のうち後縁側の形状を、その翼の回転方向前側に位置する翼の負圧面に対応した形状とすれば、複数の翼を射出成形する場合、翼同士の間に配置される金型の型抜き方向と貫通孔の内壁の方向とが同一となる。なお、射出成形の際に翼間流路に配置される金型の型抜き方向は、翼の負圧面に沿った径外方向となる。したがって、翼と貫通孔とを一つの金型で形成することが可能となり、製造上のコストを低減することができる。
【符号の説明】
【００７８】
１    遠心ファン
２    側板
３    主板
４    翼
５    吸込口
７    後縁
８    負圧面
９    正圧面
１０  貫通孔
【図１】
2020079567.tif 000003
【図２】
2020079567.tif 000004
【図３】
2020079567.tif 000005
【図４】
2020079567.tif 000006
【図５】
2020079567.tif 000007
【図６】
2020079567.tif 000008
【図７】
2020079567.tif 000009
【図８】
2020079567.tif 000010
【図９】
2020079567.tif 000011
【図１０】
2020079567.tif 000012
【図１１】
2020079567.tif 000013
【図１２】
2020079567.tif 000014
【図１３】
2020079567.tif 000015
【図１４】
2020079567.tif 000016
【図１５】
2020079567.tif 000017
【図１６】
2020079567.tif 000018
【図１７】
2020079567.tif 000019
【図１８】
2020079567.tif 000020
【図１９】
2020079567.tif 000021
【図２０】
2020079567.tif 000022
【図２１】
2020079567.tif 000023
【図２２】
2020079567.tif 000024
【図２３】
2020079567.tif 000025
【図２４】
2020079567.tif 000026
【図２５】
2020079567.tif 000027
【図２６】
2020079567.tif 000028
【図２７】
2020079567.tif 000029
【図２８】
2020079567.tif 000030